(57)【要約】【課題】  カムシャフトに対してカムを回転可能に装着することによってネジを緩めたり、締め直したりする必要のないバルブ用アクチュエータにおけるモータへの通電制御装置を提供すること。【解決手段】  カム板による遮光によってフォトセンサーが作動してモータへの通電乃至遮断を行うモータへの通電制御装置において、出力軸に直結されるカムシャフトに挿通されてネジにて固定されるボスの上面乃至下面にカム板をＯリングと抜け止めリングによってカムシャフトに対して回転可能に装着したことを特徴とする。【選択図】        図４
2005221065.tif 000002
【特許請求の範囲】
【請求項１】
カム板による遮光によってフォトセンサーが作動してモータへの通電乃至遮断を行うモータへの通電制御装置において、出力軸に直結されるカムシャフトに挿通されてネジにて固定されるボスの上面乃至下面にカム板をＯリングと抜け止めリングによってカムシャフトに対して回転可能に装着したことを特徴とするバルブ用アクチュエータにおけるモータへの通電制御装置。
【請求項２】
請求項１記載のカム板には、ドライバーの先端部が入る幅の溝が次位の溝との間隔が４５°となるように複数個所形成されていることを特徴とする請求項１記載のバルブ用アクチュエータにおけるモータへの通電制御装置。
【発明の詳細な説明】
【技術分野】
【０００１】  本発明は、モータの駆動により弁体の開閉制御を行うバルブ用アクチュエータにおけるモータへの通電制御装置に関するものである。
【発明の開示】
【発明が解決しようとする課題】
【０００２】  従来から、モータの駆動により弁体の開閉制御を行うバルブ用アクチュエータにおいて、バルブの開閉角度を制御するために行うモータへの通電制御を行う装置としてバルブの弁体を回転させる出力軸に直結されるカムシャフトにカム板を固着し、このカム板による遮光によってフォトセンサーが作動してモータへの通電乃至遮断を行う装置が公知である。【０００３】  この装置にあっては、カムの位置の検知つまり出力軸の回転角度を検知するのに無接点のフォトセンサーを使用しているので、故障することは殆どないが、角度検出用のカム板はカム板と一体のボスが出力軸に直結されるカムシャフトにネジにて固着されているものであったため、バルブの開閉角度を変更するためにはカム板の取付位置を変える必要があり、そのため、カム板と一体のボスのネジを一旦緩めて最適な角度となるようにボスを回転させ、最適な角度となったところで再びネジを締め付けてシャフトに固定するという作業を行う必要があった。【０００４】  然しながら、カムの取付位置を変更する都度、ネジを緩め、締め直すため、複数回締め直すとカムシャフトに締め跡ができ、その後少しだけ角度をずらそうとしても前に形成された締め跡によって微妙な角度で締めることは困難であるだけでなく、カムの周りにモータ等の部品が設置されている場合には水平方向からネジを緩めたり、締め直したりすることは不便であるという問題点があった。【０００５】  本発明は、上記従来技術の問題点を解決するために、カムシャフトに対してカムを回転可能に装着することによってネジを緩めたり、締め直したりする必要のないバルブ用アクチュエータにおけるモータへの通電制御装置を提供することを目的とするものである。
【課題を解決するための手段】
【０００６】  本発明に係るバルブ用アクチュエータにおけるモータへの通電制御装置は、カ厶板による遮光によってフォトセンサーが作動してモータへの通電乃至遮断を行うモータへの通電制御装置において、出力軸に直結されるカムシャフトに挿通されてネジにて固定されるボスの上面乃至下面にカム板をＯリングと抜け止めリングによってカムシャフトに対して回転可能に装着したことを特徴とするものである。
【発明の作用】
【０００７】  本発明では、カムシャフトに挿通されてネジにて固定されるボスの上面乃至下面にカム板をＯリングと抜け止めリングによってカムシャフトに対して回転可能に装着してあるので、カム板の取付角度を変える必要があるときにはカム板を上方から押してやるだけで所望の角度に調節できる。
【実施例】
【０００８】  図１は、バルブにアクチュエータを取り付けた状態の一部縦断側面図、図２は、本発明装置の斜視図、図３は、同縦断側面図、図４は、ボスとカム板との関係を表す分解斜視図である。【０００９】  図において、１は、バルブＶの弁体の回転軸Ｖ−１に取り付けられたアクチュエータであって、ケーシング内部にモータや制御回路等が収納されている従来公知の構造のものであるので、内部構造は省略する。【００１０】  ２は、バルブＶの弁体の回転軸Ｖ−１を回転させる出力軸（図示せず）に直結されるカムシャフト、３は、後述するカム板を取り付けるためのボスで、上下面にゴム製のＯリング３−ａが嵌め込まれる溝３−１、３−１が円形に形成され、六角穴付止めネジ３−２にてカムシャフト２に固定されるようになっている。【００１１】  ４は、フォトセンサー５が検知するカム板で、このカム板は前記ボス３の溝３−１に嵌め込まれたＯリング３−ａに重ねるように載せられた後、内周に複数の舌片を形成した抜け止めリング３−ｂによってサンドイッチ状に挟まれてＯリング３−ａとの摩擦抵抗によってある程度のトルクが掛からないと回転しないようにブレーキが掛けられている。【００１２】  尚、カム板４にはドライバーの先端部が入る幅の溝４−１が次位の溝４−１との間隔が４５°となるように複数個所形成されており、ドライバーの先端部をこの溝４−１に差し入れてカム板４を回転させるときに、次位の溝４−１が同じ位置にきたときには４５°カム板４が回転したことになるとの一応の目安になるようになっており、次次位の溝４−１が同じ位置にきたときには９０°回転したことになるとの目安が得られ便利である。
【発明の効果】
【００１３】  以上述べた如く、本発明に係るバルブ用アクチュエータにおけるモータへの通電制御装置によれば、カ厶板による遮光によってフォトセンサーが作動してモータへの通電乃至遮断を行うモータへの通電制御装置において、出力軸に直結されるカムシャフトに挿通されてネジにて固定されるボスの上面乃至下面にカム板をＯリングと抜け止めリングによってカムシャフトに対して回転可能に装着したもので、従来装置のようにカムシャフトに固定されるボスとカム板が一体ではなく、カム板のみ一定のトルクで回転できるように装着してあるので、バルブの開閉角度を変更乃至調節すべくカム板の取付角度を変えるときには、カム板を上方からドライバー等の先端部で押してやれば簡単に回転して所望の角度に変更可能であり、従来装置のようにボスの固定用ネジを緩めたり、締め直したりする必要がないため、カムシャフトに締め跡が残って微妙な調節ができなくなるようなことが全くなく、その調節もモータ等の部品がない上方から行えるので便利である等実用的である。
【図面の簡単な説明】
【図１】  バルブにアクチュエータを取り付けた状態の一部縦断側面図である。
【図２】  本発明装置の斜視図である。
【図３】  同縦断側面図である。
【図４】  ボスとカム板との関係を表す分解斜視図である。
【符号の説明】
１          アクチュエータ
２          カムシャフト
３          ボス
４          カム板
【図１】
2005221065.tif 000003
【図２】
2005221065.tif 000004
【図３】
2005221065.tif 000005
【図４】
2005221065.tif 000006